(57)【要約】【課題】セラミック端子を介在すべく、芯線を残して被覆と絶縁材を切断したとき、被覆切断面にバリが生じても、芯線と被覆との短絡を阻止して、中性子検出器として確実に機能する中性子検出器接続ケーブル構造を提供する。【解決手段】芯線と、前記芯線を覆う被覆と、前記被覆と前記芯線との間に介在される粉末状の絶縁材とから構成され、芯線を残して絶縁材および被覆を切断し中間接続部材を接続するのに、絶縁材および被覆の前記切断面から、被覆を残して絶縁材を掻き出し、この掻き出した絶縁材部分にセラミックパイプを挿入する。【選択図】    図１
2013250207.tif 000002
【特許請求の範囲】
【請求項１】
芯線と、前記芯線を覆う被覆と、前記被覆と前記芯線との間に介在される粉末状の絶縁材とから構成され、前記芯線を残して前記絶縁材および前記被覆を切断し、接続部材を接続するのに、
前記絶縁材および前記被覆の前記切断面から、前記被覆を残して前記絶縁材を掻き出し、この掻き出した前記絶縁材部分にセラミックパイプを挿入する
ことを特徴とする中性子検出器接続ケーブル構造。
【発明の詳細な説明】
【技術分野】
【０００１】
本発明の実施態様は、原子炉炉内に設置される中性子検出器に接続するケーブル構造に関する。
【背景技術】
【０００２】
原子炉が１００％稼動した状態での、炉内の中性子を測定する中性子検出器が、ＬＰＲＭと記されるのに対して、原子炉の運転開始時および停止時における炉内の中性子を検出するための中性子検出器は、ＳＲＮＭと記される。
【０００３】
このＳＲＮＭと呼ばれる中性子検出器は、先端にセンサ部があり、センサ部には信号を取り出すための同軸ケーブルが接続される。同軸ケーブルは、芯線に対して二重被覆で覆われる、二重同軸ケーブルが使用されていて、芯線と被覆との間には、アルミナやシリカなどの粉末状絶縁材が介在される。
【０００４】
また、原子炉内での環境で絶縁抵抗の低下を抑えるために、ケーブル内にはアルゴンガス等の不活性ガスが封入されている。この不活性ガスがケーブルの外部に漏れないよう、ケーブルの中途部に中間接続部であるセラミック端子を設けている。さらには、ケーブルの端末部には、コネクタが接続される。
【先行技術文献】
【特許文献】
【０００５】
【特許文献１】特開２００３−１３９８６１号公報
【発明の概要】
【発明が解決しようとする課題】
【０００６】
図２（Ａ）は、従来構造のケーブルの中途部にセラミック端子を接続した断面図であり、図２（Ｂ）は、その一部を拡大して示す図である。  
図中１は同軸ケーブルであって、これは芯線２を残して絶縁材３と被覆４が切断され、これら切断された同軸ケーブル１の中途部にセラミック端子５が設けられてなる。
【０００７】
セラミック端子５は、セラミックパイプ６の周囲を、セラミックカラー７で覆っている。セラミックパイプ６の端面に端子部８が接していて、端子部８相互間にケーブル接続部９が介在する。
【０００８】
問題は、図２（Ｂ）に拡大して示すように、同軸ケーブル１の端面とセラミック端子５の端面とが、狭小の間隙を存して突き合わされる突合せ部Ｔにある。  
すなわち、突合せ部Ｔにおける同軸ケーブル１の端面は、芯線２を残して、絶縁材３および被覆４の切断面が残った状態にある。これに対して、セラミック端子５は成形加工されたものであり、セラミックパイプ６の端面は円滑な仕上げ面となっている。
【０００９】
同軸ケーブル１側において、絶縁材３と被覆４を切断することにより、特に被覆４の切断面に、導電性異物である“バリ”が生じることは避けられない。しかも、この切断面とセラミックパイプ６端面とは狭小の隙間を存しているので、炉内の振動にともなう同軸ケーブル１やセラミック端子５の振動により、バリが被覆４の切断面からはみ出ていく。
【００１０】
ついには、バリが隙間を埋め尽くし、隙間に露出する芯線２と被覆４切断面との間に亘って、バリが掛け渡された状態となる。これらバリは導電性異物であるので、芯線２と被覆４を電気的に短絡する。これにより、芯線２に流れた信号が被覆４に漏出して、中性子検出器として機能できなくなる。
【００１１】
このような事情から、セラミック端子を介在すべく、芯線を残して被覆と絶縁材を切断したとき、被覆切断面にバリが生じても、芯線と被覆との短絡を阻止して、中性子検出器として確実に機能する中性子検出器接続ケーブル構造が望まれていた。
【課題を解決するための手段】
【００１２】
本実施形態では、芯線と、前記芯線を覆う被覆と、前記被覆と前記芯線との間に介在される粉末状の絶縁材とから構成され、前記芯線を残して前記絶縁材および前記被覆を切断してセラミック端子を接続するのに、前記絶縁材および前記被覆の前記切断面から、前記被覆を残して前記絶縁材を掻き出し、この掻き出した前記絶縁材部分にセラミック端子を構成するセラミックパイプを挿入する。
【図面の簡単な説明】
【００１３】
【図１】本実施形態に係る、中性子検出器接続ケーブル構造を示す断面図と、ケーブル一部の処理過程と、ケーブル一部を拡大して示す図。
【図２】従来構造の、中性子検出器接続ケーブル構造を示す断面図と、その一部を拡大して示す図。
【発明を実施するための形態】
【００１４】
以下、本実施形態を図面にもとづいて説明する。  
図１（Ａ）は、中性子検出器に接続される同軸ケーブルの中間部にセラミック端子を接続した、中性子検出器接続ケーブル構造の縦断面図。図１（Ｂ）は、セラミック端子を接続するにあたって、同軸ケーブル側の加工を示す図。図１（Ｃ）は、図１（Ａ）の一部を拡大して示す図である。
【００１５】
図１（Ａ）に示すように、ここでは中性子検出器に接続する同軸ケーブル１Ａは中途部で切断され、この切断部に中間接続部材であるセラミック端子５Ａが介在されてなる。
【００１６】
セラミック端子５Ａとして、中央部にケーブル接続部９があり、この両側にセラミック端子８が設けられる。それぞれのセラミック端子８にはセラミックパイプ６が設けられ、セラミックパイプ６の周囲をセラミックカラー７で覆っている。
【００１７】
同軸ケーブル１Ａは、芯線２と、この芯線２を被覆４が覆う。芯線２と被覆４との間には、アルミナやシリカなどの絶縁材３が粉末状にして詰められていて、芯線２と被覆４との絶縁を保っている。
【００１８】
中間接続部材としてのセラミック端子５Ａを介在するにあたって、同軸ケーブル１Ａの中途部を切断する。実際には、芯線２を残して絶縁材３および被覆４を切断する。そして、被覆４の切断面ａを残し、絶縁材３を切断面ａから所定長さ（約３０ｍｍ）の分だけ掻き出す。
【００１９】
図１（Ｂ）において、掻き出された絶縁材３ａを破線で示し、残された絶縁材３を実線で示している。結局、芯線２はそのまま残り、被覆４は切断面ａが残り、絶縁材３は切断面ａから所定長さ（約３０ｍｍ）のところで掻き出し面ｂとなる。
【００２０】
図１（Ｃ）に示すように、掻き出した絶縁材３の長さ分だけ、セラミック端子５Ａを構成するセラミックパイプ６ａを延長する。このセラミックパイプ６ａは、芯線２を被覆４内において直接覆い、被覆４内に挿入するよう延出される。  
新たなセラミックパイプ６ａの端面は絶縁材３の掻き出し面ｂと接しているが、ここに狭小の間隙があっても支障がない。
【００２１】
このようにして、同軸ケーブル１Ａの中途部にセラミック端子５Ａが設けられ、被覆４の切断面ａにバリが残ることは、ここでも変りがない。そのため、原子炉炉内が振動し、同軸ケーブル１Ａやセラミック端子５Ａが移動するのにともなって、バリが移動することがある。
【００２２】
しかしながら、被覆４の切断面ａにはセラミックパイプ６ａの外周壁が対向し、芯線２はセラミックパイプ６ａで覆われ、保護されている。芯線２は被覆４の切断面ａに生じるバリの影響を受けずにすみ、バリによる芯線２と被覆４との短絡を阻止できるとともに、同軸ケーブル１Ａ内に導電性の異物が侵入したとしても、絶縁低下を阻止できる。  
中性子検出器接続ケーブルとして確実に機能するので、中性子検出器としての信頼性の向上を図れる。
【００２３】
なお、実施形態として、中間接続部であるセラミック端子を同軸ケーブルに接続する場合について説明したが、これに限定されるものではない。  
たとえば、同軸ケーブル先端部にセンサを接続する場合、および同軸ケーブル端末部にコネクタを接続する場合にも、同軸ケーブル１Ａは芯線２を残して被覆４と絶縁材３を切断するので、切断面から所定長さだけ絶縁材３ａを掻き出し、この部分にセラミックパイプを挿入して、被覆４の切断面ａに生じるバリの悪影響を阻止するようにしてもよい。
【００２４】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００２５】
２…芯線、４…被覆、３…絶縁材、１Ａ…同軸ケーブル、５Ａ…セラミック端子、６ａ…セラミックパイプ。
【図１】
2013250207.tif 000003
【図２】
2013250207.tif 000004